(57)【要約】【課題】  分岐／分配器の出力側に接続されている電子デバイスで動作電源が必要な電子デバイスに電源部を接続することなく動作させる。【解決手段】  分配器１４において、ＤＣジャック３５（４５）に供給されたＰＳ１５からのＤＣ１５Ｖは、第１電流通過回路を構成するダイオードＤ１とチョークコイルＣＨ１との直列回路を介して入力端子ＩＮから出力される。また、第２電流通過回路を構成する６つのダイオードＤ２〜Ｄ７と６つのチョークコイルＣＨ３〜ＣＨ８との並列に接続されている直列回路をそれぞれ介して６つの出力端子ＯＵＴ１〜ＯＵＴ６からそれぞれ出力される。分配器１４の入力端子ＩＮおよび出力端子ＯＵＴ１〜ＯＵＴ６から出力されたＤＣ１５Ｖは、入力端子側および出力端子側に接続されている動作電源を必要とする電子デバイスに供給される。【選択図】  図６
2020150425.tif 000002
【特許請求の範囲】
【請求項１】
高周波信号が入力される入力端子と、該入力端子から入力された高周波信号を複数の出力信号に分岐あるいは分配して複数の出力端子からそれぞれ出力する分岐／分配回路を備える分岐／分配器であって、
電源が供給される電源供給端子と、
該電源供給端子から供給された電源を、前記入力端子から出力する第１電流通過回路と、
前記電源供給端子から供給された電源を、前記複数の出力端子からそれぞれ出力する第２電流通過回路と、
を備え、前記入力端子から出力された電源は、該入力端子側に接続されている動作電源を必要とする電子デバイスに供給され、前記出力端子から出力された電源は、該出力端子側に接続されている動作電源を必要とする電子デバイスに供給されることを特徴とする分岐／分配器。
【請求項２】
前記電源供給端子と前記入力端子との間に設けられた前記第１電流通過回路は、前記電源供給端子から供給された電源を前記入力端子へ通過させる方向のダイオードと、高周波信号を阻止するチョークコイルとの直列回路とされていることを特徴とする請求項１に記載の分岐／分配器。
【請求項３】
前記電源供給端子と前記出力端子それぞれとの間に設けられた前記第２電流通過回路は、前記電源供給端子から供給された電源を前記出力端子へ通過させる方向のダイオードと、高周波信号を阻止するチョークコイルとの直列回路とされていることを特徴とする請求項１に記載の分岐／分配器。
【請求項４】
前記入力端子は電源を阻止するコンデンサを介して前記分岐／分配回路に接続されていると共に、前記出力端子のそれぞれは電源を阻止するコンデンサを介して前記分岐／分配回路に接続されていることを特徴とする請求項２または３に記載の分岐／分配器。
【請求項５】
動作電源を必要とするアンテナを少なくとも１つ備え、放送信号を受信するアンテナ部と、
前記アンテナ部で受信された放送信号が入力される入力端子と、該入力端子から入力された放送信号を複数の出力信号に分岐あるいは分配して複数の出力端子からそれぞれ出力する前記請求項１ないし４のいずれかに記載の分岐／分配器と、
前記分岐／分配器の１つの出力端子から出力された前記出力信号を増幅する動作電源を必要とする増幅器と、
前記分岐／分配器の１つの出力端子から出力された前記出力信号を処理する処理部が内蔵されると共に、前記出力信号を出力する出力信号端子を備える動作電源を必要とする直列ユニットと、
前記分岐／分配器の電源供給端子に電源を供給する電源部と、
を少なくとも備え、
前記電源部から前記電源供給端子に供給された電源であって、前記分岐／分配器の前記入力端子から出力された電源が前記動作電源を必要とするアンテナに供給されると共に、前記分岐／分配器の出力端子から出力された電源が前記増幅器および前記直列ユニットに動作電源として供給されることを特徴とする受信システム。
【請求項６】
さらに、前記アンテナ部で受信された放送信号を増幅して前記分岐／分配器に出力する動作電源を必要とする他の増幅器が、前記アンテナ部と前記分岐／分配器との間に設けられており、
前記電源部から前記電源供給端子に供給された電源であって、前記分岐／分配器の前記入力端子から出力された電源が前記他の増幅器と、前記動作電源を必要とするアンテナとに供給されることを特徴とする請求項５に記載の受信システム。
【発明の詳細な説明】
【技術分野】
【０００１】
本発明は、棟内や建屋内においてテレビジョン信号を視聴できる受信システム、および、受信システムに用いられる分岐／分配器に関する。
【背景技術】
【０００２】
棟内や家屋内においてテレビジョン信号を視聴できる従来の受信システムの構成を図１０に示す。
図１０に示す受信システム１００は、ビルやマンションや建屋に設置されたＢＳ・ＣＳ放送を受信する衛星放送用アンテナ１１０と、地上デジタル放送を受信するＵＨＦアンテナ１１１とを備えている。衛星放送用アンテナ１１０から出力されるＢＳ−ＩＦ信号あるいはＣＳ−ＩＦ信号と、ＵＨＦアンテナ１１１で受信された地上デジタル放送信号とは混合器１１２で合波されてＴＶ放送信号とされ、このＴＶ放送信号は第１増幅器１１３に供給されて所定レベルになるよう増幅される。所定レベルとされたＴＶ放送信号は、分配器１１４に供給されて、例えば６分配される。
【０００３】
分配されたＴＶ放送信号の一つは壁面等に埋め込まれるよう設置された直列ユニット１１６に供給される。そして、テレビジョン受像機（ＴＶ）１１７と直列ユニット１１６とを同軸ケーブルで接続することにより、ＴＶ１１７においてＴＶ放送信号を視聴できるようになる。また、分配されたＴＶ放送信号の他の一つは第２増幅器１１８により所定レベルになるよう増幅されて壁面等に埋め込まれるよう設置された直列ユニット１１９に供給される。そして、ＴＶ１２０と直列ユニット１１９とを同軸ケーブルで接続することにより、ＴＶ１２０においてＴＶ放送信号を視聴できるようになる。さらに、分配されたＴＶ放送信号のさらに他の一つは壁面等に埋め込まれるよう設置された直列ユニット１２１に供給される。直列ユニット１２１は、電波時計の時刻情報の補正を行える時刻情報輻射機能を備えるＴＯＴ（Time Offset Table）内蔵の直列ユニットとされており、ＴＶ放送信号から抽出した時刻情報に基づいてタイムコードを作成し、このタイムコードを輻射するための電波信号を生成する輻射ユニットと、タイムコードの電波信号を輻射する輻射アンテナとが内蔵されている。そして、ＴＶ１２２と直列ユニット１２１とを同軸ケーブルで電源部（ＰＳ）１２５を介して接続することにより、ＴＶ１２２においてＴＶ放送信号を視聴できるようになると共に、ＴＯＴ内蔵の直列ユニット１２１から輻射された疑似ＪＪＹタイムコードを電波時計が受信することにより、電波時計の時刻情報の補正を行えるようになる。
【０００４】
なお、第１増幅器１１３にはＰＳ１２３が接続されており、ＰＳ１２３から動作用のＤＣ１５Ｖが供給されて増幅動作を行っている。第１増幅器１１３に供給されたＤＣ１５Ｖの電源の一部は、第１増幅器１１３の入力端子から出力されて混合器１１２を介して衛星放送用アンテナ１１０に動作用の電源として供給されている。また、第２増幅器１１８にはＰＳ１２４が接続されており、ＰＳ１２４から動作用のＤＣ１５Ｖが供給されて増幅動作を行っている。さらに、直列ユニット１２１には同軸ケーブルで接続されたＰＳ１２５からＤＣ１５ＶがＴＯＴ内蔵の直列ユニット１２１に同軸ケーブルを介して供給され、このＤＣ１５Ｖにより内蔵された輻射ユニットが動作するようになる。
【先行技術文献】
【特許文献】
【０００５】
【特許文献１】特開平１１−４３５７号公報
【発明の概要】
【発明が解決しようとする課題】
【０００６】
上記したように、衛星放送用アンテナ１１０や第１増幅器１１３、第２増幅器１１８、ＴＯＴ内蔵の直列ユニット１２１を動作させるには、それぞれに動作電源を供給する電源部を接続する必要がある。そこで、分配器１１４に電流通過回路を備えるようにして分配器１１４を介して衛星放送用アンテナ１１０や第１増幅器１１３に電源を供給することが考えられる。
電流通過回路を備える分配器１１４の構成を示す回路図を図１１に示す。
図１１に示す分配器１１４は、分配数が６分配とされ電流通過型の構成とされており、１つの入力端子ＩＮと６つの出力端子ＯＵＴ１，ＯＵＴ２，ＯＵＴ３，ＯＵＴ４，ＯＵＴ５，ＯＵＴ６とを備えている。入力端子ＩＮと６分配回路１５１との間に電流をカットするコンデンサＣ１０１が直列に接続されている。６分配回路１５１の６つの出力と出力端子ＯＵＴ１〜ＯＵＴ６との間にそれぞれ電流をカットするコンデンサＣ１０２，Ｃ１０３，Ｃ１０４，Ｃ１０５，Ｃ１０６，Ｃ１０７が直列に接続されている。６分配回路１５１で分配された６つの出力はそれぞれ出力端子ＯＵＴ１〜ＯＵＴ６から出力され、出力端子ＯＵＴ１〜ＯＵＴ６と入力端子ＩＮとの間にチョークコイルＣＨ１０２，ＣＨ１０３，ＣＨ１０４，ＣＨ１０５，ＣＨ１０６，ＣＨ１０７とダイオードＤ１０１，Ｄ１０２，Ｄ１０３，Ｄ１０４，Ｄ１０５，Ｄ１０６とをそれぞれ直列接続し、さらに、チョークコイルＣＨ１０１を直列接続した電流通過回路が接続されている。この電流通過回路により、出力端子ＯＵＴ１〜ＯＵＴ６に給電された直流電源は、チョークコイルＣＨ１０２〜ＣＨ１０７とダイオードＤ１０１〜Ｄ１０６との直列回路とチョークコイルＣＨ１０１とを介して入力端子ＩＮから出力される。入力端子ＩＮから出力された直流電源は、入力端子ＩＮに側に接続されている機器に供給可能とされる。
【０００７】
図１１に示す回路構成の分配器１１４を受信システム１００に用いると、第２増幅器１１８に接続されて動作電源を供給しているＰＳ１２４からの電源であって、第２増幅器１１８を通過して入力端子から出力された電源が、分配器１１４における第２増幅器１１８が出力されている出力端子（ここでは、「ＯＵＴ２」とする）から入力される。そして、チョークコイルＣＨ１０３およびダイオードＤ１０２とチョークコイルＣＨ１０１を通過して分配器１１４の入力端子ＩＮから電源が出力される。分配器１１４の入力端子ＩＮから出力された電源は、第１増幅器１１３に動作電源として供給されると共に、第１増幅器１１３の入力端子から出力されて混合器１１２を介して衛星放送用アンテナ１１０に動作用の電源として供給されるようになる。このように、図１１に示す回路構成の分配器１１４を受信システム１００に用いると、第１増幅器１１３に動作電源を供給するＰＳ１２３を省略することができる。しかしながら、分配器１１４のＴＯＴ内蔵の直列ユニット１２１が接続されてる出力端子（ここでは、「ＯＵＴ３」とする）から電源は出力されないことから、ＴＯＴ内蔵の直列ユニット１２１にＰＳ１２５を接続して動作電源を供給する必要があった。
【０００８】
また、図１１に示す回路構成の分配器１１４を受信システム１００に用いると共に、ＴＯＴ内蔵の直列ユニット１２１に電流通過回路を備えさせると、ＴＯＴ内蔵の直列ユニット１２１に動作電源を供給しているＰＳ１２５からの電源であって、ＴＯＴ内蔵の直列ユニット１２１を通過して入力端子から出力された電源が、分配器１１４におけるＴＯＴ内蔵の直列ユニット１２１が接続されている出力端子ＯＵＴ３から入力される。そして、チョークコイルＣＨ１０３およびダイオードＤ１０２とチョークコイルＣＨ１０１を通過して分配器１１４の入力端子ＩＮから電源が出力される。分配器１１４の入力端子ＩＮから出力された電源は、第１増幅器１１３に動作電源として供給されると共に、第１増幅器１１３の入力端子から出力されて混合器１１２を介して衛星放送用アンテナ１１０に動作用の電源として供給されるようになる。このように、図１１に示す回路構成の分配器１１４を受信システム１００に用いると、第１増幅器１１３に動作電源を供給するＰＳ１２３を省略することができる。しかしながら、第２増幅器１１８が接続されてる出力端子ＯＵＴ２から電源は出力されないことから、第２増幅器１１８にＰＳ１２４を接続して動作電源を供給する必要があった。
【０００９】
上記したように、分配器の出力側に接続されている電源部が接続されている増幅器やＴＯＴ内蔵の直列ユニットなどの電子デバイスから、分配器の入力側に接続されている衛星放送用アンテナや増幅器などに電源供給する場合には、電流通過型の電子デバイスを使用する必要があった。そして、電流通過型の電子デバイスを使用しても分配器の出力側に接続されている電子デバイスであって、動作電源が必要な電子デバイスを動作させるには、それぞれに電源部を接続しなければならないという問題点があった。さらに、それぞれに電源部を接続する必要があることから配線が複雑になり、配線作業が煩わしいという問題点があった。
【００１０】
そこで、本発明は、分岐器または分配器の出力側に接続されている電子デバイスで動作電源が必要な電子デバイスに電流通過回路を備えさせる必要をなくすことができると共に、それぞれに電源部を接続することなく動作させることができ、これにより、配線を簡素化することができる受信システム、および、受信システムに用いられ配線を簡素化することができる分岐／分配器を提供することを目的としている。
【課題を解決するための手段】
【００１１】
本発明の分岐／分配器は、高周波信号が入力される入力端子と、該入力端子から入力された高周波信号を複数の出力信号に分岐あるいは分配して複数の出力端子からそれぞれ出力する分岐／分配回路を備える分岐／分配器であって、電源が供給される電源供給端子と、該電源供給端子から供給された電源を、前記入力端子から出力する第１電流通過回路と、前記電源供給端子から供給された電源を、前記複数の出力端子からそれぞれ出力する第２電流通過回路とを備え、前記入力端子から出力された電源は、該入力端子側に接続されている動作電源を必要とする電子デバイスに供給され、前記出力端子から出力された電源は、該出力端子側に接続されている動作電源を必要とする電子デバイスに供給されることを最も主要な特徴としている。
また、上記した本発明の分岐／分配器において、前記電源供給端子と前記入力端子との間に設けられた前記第１電流通過回路は、前記電源供給端子から供給された電源を前記入力端子へ通過させる方向のダイオードと、高周波信号を阻止するチョークコイルとの直列回路とされている。
さらに、前記電源供給端子と前記出力端子それぞれとの間に設けられた前記第２電流通過回路は、前記電源供給端子から供給された電源を前記出力端子へ通過させる方向のダイオードと、高周波信号を阻止するチョークコイルとの直列回路とされている。
さらにまた、上記した本発明の分岐／分配器において、前記入力端子は電源を阻止するコンデンサを介して前記分岐／分配回路に接続されていると共に、前記出力端子のそれぞれは電源を阻止するコンデンサを介して前記分岐／分配回路に接続されている。
【００１２】
さらに、本発明の受信システムは、動作電源を必要とするアンテナを少なくとも１つ備え、放送信号を受信するアンテナ部と、前記アンテナ部で受信された放送信号が入力される入力端子と、該入力端子から入力された放送信号を複数の出力信号に分岐あるいは分配して複数の出力端子からそれぞれ出力する本発明にかかる分岐／分配器と、前記分岐／分配器の１つの出力端子から出力された前記出力信号を増幅する動作電源を必要とする増幅器と、前記分岐／分配器の１つの出力端子から出力された前記出力信号を処理する処理部が内蔵されると共に、前記出力信号を出力する出力信号端子を備える動作電源を必要とする直列ユニットと、前記分岐／分配器の電源供給端子に電源を供給する電源部とを少なくとも備え、前記電源部から前記電源供給端子に供給された電源であって、前記分岐／分配器の前記入力端子から出力された電源が前記動作電源を必要とするアンテナに供給されると共に、前記分岐／分配器の出力端子から出力された電源が前記増幅器および前記直列ユニットに動作電源として供給されることを最も主要な特徴としている。
また、本発明の他の受信システムは、動作電源を必要とするアンテナを少なくとも１つ備え、放送信号を受信するアンテナ部と、前記アンテナ部で受信された放送信号が入力される入力端子と、該入力端子から入力された放送信号を増幅する動作電源を必要とする第１増幅器と、前記第１増幅器で増幅された放送信号が入力される入力端子と、該入力端子から入力された放送信号を複数の出力信号に分岐あるいは分配して複数の出力端子からそれぞれ出力する分岐／分配器と、前記分岐／分配器の１つの出力端子から出力された前記出力信号を増幅する動作電源を必要とする第２増幅器と、前記分岐／分配器の１つの出力端子から出力された前記出力信号を処理する処理部が内蔵されると共に、前記出力信号を出力する出力信号端子を備える動作電源を必要とする直列ユニットとを少なくとも備え、前記分岐／分配器は、電源が供給される電源供給端子と、該電源供給端子から供給された電源を、前記入力端子から出力すると共に前記出力端子からも出力する電流通過回路を備え、前記分岐／分配器の前記入力端子から出力された電源が前記第１増幅器に動作電源として供給されると共に、前記動作電源を必要とするアンテナに供給されると共に、前記分岐／分配器の出力端子から出力された電源が前記第２増幅器および前記直列ユニットに動作電源として供給されることを最も主要な特徴としている。
【発明の効果】
【００１３】
本発明の受信システムは、分岐／分配器の前記入力端子から出力された電源が増幅器や動作電源を必要とするアンテナに供給されると共に、分岐／分配器の出力端子から出力された電源が増幅器および直列ユニットに動作電源として供給される構成を備えていることから、分岐器または分配器の出力側に接続されている電子デバイスで動作電源が必要な電子デバイスに電流通過回路を備えさせる必要をなくすことができると共に、それぞれに電源部を接続することなく動作させることができ、これにより、配線を簡素化することができるようになる。
また、本発明の分岐／分配器は、電源が供給される電源供給端子と、該電源供給端子から供給された電源を、入力端子から出力する第１電流通過回路と、電源供給端子から供給された電源を、複数の出力端子からそれぞれ出力する第２電流通過回路とを備えていることから、本発明の受信システムに用いた際に、上記した作用効果を奏することができる。
【図面の簡単な説明】
【００１４】
【図１】本発明の実施例の受信システムの構成を示す機能ブロック図である。
【図２】本発明の第１実施例にかかる分配器の構成を示す起立した状態の斜視図である。
【図３】本発明の第１実施例にかかる分配器の構成を示す正面を上にした状態の斜視図である。
【図４】本発明の第２実施例にかかる分配器の構成を示す起立した状態の斜視図である。
【図５】本発明の第２実施例にかかる分配器の構成を示す正面を上にした状態の斜視図である。
【図６】本発明の第１実施例および第２実施例にかかる分配器の構成を示す回路ブロック図である。
【図７】本発明の実施例の受信システムにおける第１増幅器の構成を示す回路ブロック図である。
【図８】本発明の実施例の受信システムにおける第２増幅器の構成を示す回路ブロック図である。
【図９】本発明の実施例の受信システムにおける直列ユニットの構成を示す回路ブロック図である。
【図１０】従来の受信システムの構成を示す機能ブロック図である。
【図１１】従来の受信システムにおける分配器の構成を示す回路ブロック図である。
【発明を実施するための形態】
【００１５】
本発明の実施例の受信システムの構成を示す機能ブロック図を図１に示す。
図１に示す本発明の実施例の受信システム１は、屋上などに設置されたＢＳ放送やＣＳ放送などを受信する衛星放送用アンテナ１０と、地上デジタル放送を受信するＵＨＦアンテナ１１とを備えている。また、屋内や棟内には混合器１２、第１増幅器１３、分配器１４、電源部（以下、「ＰＳ」という）１５、直列ユニット１６，１９、テレビジョン受像機（以下、「ＴＶ」という）１７，２０，２２、第２増幅器１８、ＴＯＴ内蔵の直列ユニット２１が設けられている。
【００１６】
衛星放送用アンテナ１０から出力されるＢＳ−ＩＦ信号やＣＳ−ＩＦ信号と、ＵＨＦアンテナ１１で受信された地上デジタル放送信号とは混合器１２で混合され、混合された放送信号は第１増幅器１３で所定レベルになるよう増幅される。第１増幅器１３から出力される所定のレベルの放送信号は本発明にかかる分配器１４に供給されて複数に分配される。分配数は、例えば図示するように６分配されて、６つの出力端子からそれぞれ出力される。分配器１４の出力端子の１つから出力された分配された放送信号は壁面等に設けられた直列ユニット１６に供給される。そして、直列ユニット１６に接続された同軸ケーブルを介してＴＶ１７に放送信号が供給され、ＴＶ１７で放送を視聴できるようになる。
【００１７】
また、分配器１４の出力端子の他の１つから出力された分配された放送信号は第２増幅器１８で所定レベルになるよう増幅されて壁面等に設けられた直列ユニット１９に供給される。そして、直列ユニット１９に接続された同軸ケーブルを介してＴＶ２０に放送信号が供給され、ＴＶ２０で放送を視聴できるようになる。
さらに、分配器１４の出力端子の１つから出力された分配された放送信号は壁面等に設けられたＴＯＴ内蔵の直列ユニット２１に供給される。直列ユニット２１は、上述した電波時計の時刻情報の補正を行える時刻情報輻射機能を備えており、時刻情報輻射機能をどうさせる動作電源を必要としている。そして、直列ユニット２１に接続された同軸ケーブルを介してＴＶ２２に放送信号が供給され、ＴＶ２２で放送を視聴できるようになる。
【００１８】
本発明にかかる分配器１４には、ＰＳ１５から電源が供給されている。この電源は、例えば図示するようにＤＣ１５Ｖとされている。ここで、本発明にかかる分配器１４の構成を示す回路ブロック図を図６に示す。
図６に示す本発明にかかる分配器１４は、分配数が６分配とされて６分配回路５１を有し、６分配回路５１二法総信号を供給する１つの入力端子ＩＮと、６分配回路５１で分配された６つの分配信号をそれぞれ出力する出力端子ＯＵＴ１，ＯＵＴ２，ＯＵＴ３，ＯＵＴ４，ＯＵＴ５，ＯＵＴ６とを備えている。本発明にかかる分配器１４において特徴的な構成は、ＰＳ１５からのＤＣ１５Ｖが供給されるＤＣジャック３５（４５）を備え、ＤＣジャック３５（４５）から供給されたＤＣ１５Ｖを入力端子ＩＮから出力する第１電流通過回路と、ＤＣジャック３５（４５）から供給されたＤＣ１５Ｖを６つの出力端子ＯＵＴ１〜ＯＵＴ６からそれぞれ出力する第２電流通過回路とを備えている構成である。
【００１９】
本発明にかかる分配器１４において、入力端子ＩＮはＤＣ１５ＶをカットするコンデンサＣ１を介して６分配回路５１に接続されており、６分配回路５１の６つの分配出力はそれぞれＤＣ１５ＶをカットするコンデンサＣ２，Ｃ３，Ｃ４，Ｃ５，Ｃ６，Ｃ７を介して出力端子ＯＵＴ１〜ＯＵＴ６に接続されている。これにより、６分配回路５１で６つに分配された放送信号はそれぞれ出力端子ＯＵＴ１〜ＯＵＴ６から出力されるようになる。
【００２０】
第１電流通過回路は、ＤＣジャック３５（４５）側がアノードとされたダイオードＤ１と、ダイオードＤ１のカソードと入力端子ＩＮとの間に接続された放送信号を阻止するチョークコイルＣＨ１とから構成されている。また、第２電流通過回路は、ＤＣジャック３５（４５）側がアノードとされた６つのダイオードＤ２，Ｄ３，Ｄ４，Ｄ５，Ｄ６，Ｄ７が並列に接続され、ダイオードＤ２〜Ｄ７のカソードと６つの出力端子ＯＵＴ１〜ＯＵＴ６のそれぞれとの間に接続された放送信号を阻止するチョークコイルＣＨ３，ＣＨ４，ＣＨ５，ＣＨ６，ＣＨ７，ＣＨ８とから構成されている。そして、ダイオードＤ１のアノードと、６つのダイオードＤ２〜Ｄ７のアノードとの接続点と、ＤＣジャック３５（４５）との間に放送信号を阻止するチョークコイルＣＨ１が接続されている。
【００２１】
上記回路構成とされた本発明にかかる分配器１４は、ＤＣジャック３５（４５）に供給されたＰＳ１５からのＤＣ１５Ｖは、チョークコイルＣＨ２を介して第１電流通過回路および第２電流通過回路に供給され、第１電流通過回路を構成するダイオードＤ１とチョークコイルＣＨ１との直列回路を介して入力端子ＩＮから出力される。また、第２電流通過回路を構成する６つのダイオードＤ２〜Ｄ７と６つのチョークコイルＣＨ３〜ＣＨ８との並列に接続されている直列回路をそれぞれ介して６つの出力端子ＯＵＴ１〜ＯＵＴ６からそれぞれ出力される。
【００２２】
これにより、図１に示すように分配器１４の入力端子ＩＮからＤＣ１５Ｖが出力されて第１増幅器１３に動作電源として供給される。また、第１増幅器１３は後述するように電流通過回路を備えており、ＤＣ１５Ｖは第１増幅器１３の入力端子から出力されて混合器１２を介して衛星放送用アンテナ１０に動作電源として供給される。さらに、図１に示すように分配器１４の出力端子ＯＵＴ２からＤＣ１５Ｖが出力されて、出力端子ＯＵＴ２に接続されている第２増幅器１８に動作電源として供給され、分配器１４の出力端子ＯＵＴ３からＤＣ１５Ｖが出力されて、出力端子ＯＵＴ３に接続されているＴＯＴ内蔵の直列ユニット２１に動作電源として供給される。
【００２３】
このように、本発明にかかる分配器１４を備える本発明にかかる受信システム１においては、ＰＳ１５の１つの電源部を備えるだけで衛星放送用アンテナ１０，第１増幅器１３，第２増幅器１８およびＴＯＴ内蔵の直列ユニット２１に動作電源を供給することができるようになる。これにより、本発明にかかる受信システム１は、分配器の出力側に接続されている電子デバイスで動作電源が必要な電子デバイスに電流通過回路を備えさせる必要をなくすことができると共に、それぞれに電源部を接続することなく動作させることができ、これにより、配線を簡素化することができるようになる。
ここで、図６に示す分配器１４において、６分配回路５１を６分岐できる６分岐回路に置き換えると本発明にかかる分岐器とすることができる。このような本発明にかかる分岐器で本発明にかかる分配器１４を置き換えても、ＤＣジャック３５（４５）に供給されたＰＳ１５からのＤＣ１５Ｖは、前述した第１電流通過回路により入力端子ＩＮから出力されると共に、前述した第２電流通過回路により６つの出力端子ＯＵＴ１〜ＯＵＴ６からそれぞれ出力されるようになる。  
【００２４】
次に、本発明の受信システム１に用いられる本発明にかかる分配器１４のハードウェアの構成例を図２ないし図５に示す。図２は本発明の第１実施例にかかる分配器の構成を示す起立した状態の斜視図であり、図３は本発明の第１実施例にかかる分配器の構成を示す正面を上にした状態の斜視図であり、図４は本発明の第２実施例にかかる分配器の構成を示す起立した状態の斜視図であり、図５は本発明の第２実施例にかかる分配器の構成を示す正面を上にした状態の斜視図である。
図２，図３に示す第１実施例の分配器１４−１は、所定厚みのある横長の金属製とされた直方体状のケース本体３０を備えており、正面から突出するよう７つの同軸端子が形成されている。７つの同軸端子は２段の列に形成されており、上段の列における中央の同軸端子が入力端子ＩＮとされる入力端子３３とされ、上段の列における両脇と下段の列における４つの同軸端子が出力端子ＯＵＴ１〜ＯＵＴ６とされる出力端子３４とされている。同軸端子の下段の列の左側にＰＳ１５が接続されるＤＣジャック３５が設けられており、ＤＣジャック３５の上側に同軸端子の上段に並ぶようにＬＥＤとされるパイロットランプ（ＰＬ）３６が設けられている。ケース本体３０の左側であってＤＣジャック３５とＰＬ３６を覆うようにカバー３１が設けられている。
【００２５】
また、ケース本体３０の両側面下部から突出するよう取付部３２がそれぞれケース本体３０に一体に形成されている。取付部３２は、直方体状とされており上面から正面にわたり長溝とされる開口部３２ａが形成されていると共に、下面から背面にかけて長溝とされる開口部３２ａが形成されている。また、取付部３２の側面には、円筒状のネジ受け軸３２ｂが挿通されて、ネジ受け軸３２ｂを回転可能に支持する貫通孔が形成されている。ネジ受け軸３２ｂの周側面には、長軸に直交する方向であってネジ３２ｃが挿通される孔部が形成されている。取付部３２の貫通孔からネジ受け軸３２ｂを挿通した状態において、ネジ受け軸３２ｂの孔部にネジ３２ｃが挿通される。これにより、ネジ３２ｃは長溝とされる開口部３２ａに沿ってネジ受け軸３２ｂと共に約９０°の範囲で回転できるようになり、壁面等の取付面に底面を平行になるよう第１実施例の分配器１４−１を密着して、ネジ３２ｃを取付面にねじ込むことにより底面が取付面に平行になるよう第１実施例の分配器１４−１を取り付けることができる。また、ネジ３２ｃを開口部３２ａ内で約９０°回転させると共に、壁面等の取付面に背面を平行になるよう第１実施例の分配器１４−１を密着して、ネジ３２ｃを取付面にねじ込むことにより背面が取付面に平行になるよう第１実施例の分配器１４−１を取り付けることができる。
【００２６】
次に、図４，図５に示す第２実施例の分配器１４−２は、所定厚みのある横長の金属製とされた直方体状のケース本体４０を備えており、上面から突出するよう３つの同軸端子が形成されていると共に、下面から突出するよう４つの同軸端子が形成されている。上面における中央の同軸端子が入力端子ＩＮとされる入力端子４３とされ、上面における両脇と下面における４つの同軸端子が出力端子ＯＵＴ１〜ＯＵＴ６とされる出力端子４４とされている。下面において同軸端子の左側にＰＳ１５が接続されるＤＣジャック４５が設けられており、正面の左上側にＬＥＤとされるパイロットランプ（ＰＬ）４６が設けられている。ケース本体４０の左側であってＤＣジャック４５とＰＬ４６を覆うようにカバー４１が設けられている。
【００２７】
また、ケース本体４０の両側面下部から突出するよう取付部４２がそれぞれケース本体４０に一体に形成されている。取付部４２は、角が面取りされた直方体状とされており正面から下面に向かう方向にネジ４２ｃが挿通される貫通孔が形成されている。取付部４２の貫通孔にネジ４２ｃが挿通される。これにより、壁面等の取付面に背面を平行になるよう第２実施例の分配器１４−２を密着して、ネジ４２ｃを取付面にねじ込むことにより第２実施例の分配器１４−２を背面が取付面に平行になるよう取り付けることができる。
上記したように第１実施例の分配器１４−１と第２実施例の分配器１４−２とでは、入力端子と出力端子の配置位置が異なるだけであり、機能は同じとされている。すなわち、本発明の受信システム１においては、上記した第１実施例の分配器１４−１および第２実施例の分配器１４−２のいずれかを使用の態様に応じて採用することができる。いずれの分配器を採用しても、受信システム１の機能は変わらないようになる。
【００２８】
次に、本発明の受信システム１における第１増幅器１３の構成を示す回路ブロック図を図７に示す。
図７に示すように、第１増幅器１３は放送信号などの高周波信号が入力される入力端子ＲＦＩＮと所定レベルに増幅された高周波信号が出力される出力端子ＲＦＯＵＴとを備えている。入力端子ＲＦＩＮから入力された高周波信号はコンデンサＣ１１を介してＡＭＰ１１に入力され、ＡＭＰ１１により所定レベルに増幅されて、コンデンサＣ１２を介して出力端子ＲＦＯＵＴから出力される。第１増幅器１３はチョークコイルＣＨ１１，ＣＨ１２を有する電流通過回路を備えており、出力端子ＲＦＯＵＴに供給された分配器１４を通過したＰＳ１５からのＤＣ１５ＶはチョークコイルＣＨ１２を通過してＡＭＰ１１に動作電源として供給される。また、ＤＣ１５ＶはチョークコイルＣＨ１１を通過して入力端子ＲＦＩＮから出力され、混合器１２を通過して衛星放送用アンテナ１０に動作電源として供給されるようになる。
【００２９】
次に、本発明の受信システム１における第２増幅器１８の構成を示す回路ブロック図を図８に示す。
図８に示すように、第２増幅器１８は放送信号などの高周波信号が入力される入力端子ＲＦＩＮと所定レベルに増幅された高周波信号が出力される出力端子ＲＦＯＵＴとを備えている。入力端子ＲＦＩＮから入力された高周波信号はコンデンサＣ２１を介してＡＭＰ２１に入力され、ＡＭＰ２１により所定レベルに増幅されて、コンデンサＣ２２を介して出力端子ＲＦＯＵＴから出力される。第２増幅器１８はチョークコイルＣＨ２１を有する電流通過回路を備えており、入力端子ＲＦＩＮに供給された分配器１４を通過したＰＳ１５からのＤＣ１５ＶはチョークコイルＣＨ２１を通過してＡＭＰ２１に動作電源として供給される。
【００３０】
次に、本発明の受信システム１におけるＴＯＴ内蔵の直列ユニット２１の構成を示す回路ブロック図を図９に示す。
図９に示すように、直列ユニット２１は放送信号などの高周波信号が入力される入力端子ＲＦＩＮと、高周波信号が出力される出力端子ＲＦＯＵＴとを備えている。入力端子ＲＦＩＮから入力された高周波信号はコンデンサＣ３１を介して出力端子ＲＦＯＵＴから出力されると共に、インダクタＬ３１とコンデンサＣ３２の直列回路を介して輻射ユニット６１に入力される。インダクタＬ３１はＢＳ−ＩＦ信号およびＣＳ−ＩＦ信号を減衰させて地上デジタル放送信号のみを抽出している。輻射ユニット６１は、地上デジタル放送信号から時刻情報となるＴＯＴパケットを抽出し、抽出したＴＯＴパケットを元に疑似ＪＪＹタイムコードＴＣを作成する。次いで、作成された疑似ＪＪＹタイムコードＴＣを発振部に供給して４０ｋＨｚまたは６０ｋＨｚのいずれかの周波数の疑似標準電波信号を生成している。輻射ユニット６１で生成された疑似標準電波信号は、輻射アンテナ６２に供給されて輻射アンテナ６２から放射される。この疑似標準電波を電波時計が受信することにより、電波時計の時刻が補正されるようになる。
また、入力端子ＲＦＩＮに供給された分配器１４を通過したＰＳ１５からのＤＣ１５ＶはインダクタＬ３１およびチョークコイルＣＨ３２を通過して輻射ユニット６１に動作電源として供給される。
【産業上の利用可能性】
【００３１】
本発明の実施例にかかる受信システム１においては、本発明にかかる分配器に替えて本発明にかかる分岐器を用いることができる。本発明にかかる分岐器の構成は、図６に示す分配器１４の回路ブロック図における６分配回路５１を６分岐回路に置き換え、他の構成を同様とした構成となる。この構成とされた本発明にかかる分岐器では、ＤＣジャックに供給されたＰＳ１５からのＤＣ１５Ｖは、前述した第１電流通過回路により入力端子ＩＮから出力されると共に、前述した第２電流通過回路により６つの出力端子ＯＵＴ１〜ＯＵＴ６からそれぞれ出力されるようになる。
以上説明した本発明にかかる分岐／分配器の特徴的な構成は、本発明にかかる分岐／分配器に供給された電源（例えば、ＤＣ１５Ｖ）が、入力端子および複数の出力端子から出力される構成とされている。そして、本発明にかかる分岐／分配器においては、電源供給端子から供給された電源であって、入力端子から出力された電源が、該入力端子側に接続されている動作電源を必要とする電子デバイスに供給され、複数の出力端子から出力された電源が、該出力端子側に接続されている動作電源を必要とする電子デバイスに供給されるようになる。本発明にかかる受信システム１では、このように特徴的な構成を備える本発明にかかる分岐／分配器を採用したことを特徴的な構成としている。
なお、以上説明した本発明にかかる受信システム１においては、第１増幅器や第２増幅器を必要に応じて省略することができる。
【符号の説明】
【００３２】
１  受信システム、１０  衛星放送用アンテナ、１１  ＵＨＦアンテナ、１２  混合器、１３  増幅器、１４  分配器、１５  電源部（ＰＳ）、１６  直列ユニット、１７，２０，２２    テレビジョン受像機（ＴＶ）、１８  増幅器、１９  直列ユニット、２１  直列ユニット、３０  ケース本体、３１  カバー、３２  取付部、３２ａ  開口部、３２ｂ  ネジ受け軸、３２ｃ  ネジ、３３  入力端子、３４  出力端子、３５  ＤＣジャック、４０  ケース本体、４１  カバー、４２  取付部、４２ｃ  ネジ、４３  入力端子、４４  出力端子、４５  ＤＣジャック、５１  ６分配回路、６１  輻射ユニット、６２  輻射アンテナ、１００  受信システム、１１０  衛星放送用アンテナ、１１１  ＵＨＦアンテナ、１１２  混合器、１１３  増幅器、１１４  分配器、１１６  直列ユニット、１１７，１２０，１２２  テレビジョン受像機（ＴＶ）、１１８  増幅器、１１９  直列ユニット、１２１  直列ユニット、１２３，１２４，１２５  電源部（ＰＳ）、１５１  ６分配回路
【図１】
2020150425.tif 000003
【図２】
2020150425.tif 000004
【図３】
2020150425.tif 000005
【図４】
2020150425.tif 000006
【図５】
2020150425.tif 000007
【図６】
2020150425.tif 000008
【図７】
2020150425.tif 000009
【図８】
2020150425.tif 000010
【図９】
2020150425.tif 000011
【図１０】
2020150425.tif 000012
【図１１】
2020150425.tif 000013